(57)【要約】【課題】端末ピンと高圧端子との間の電気的接続を確実にすることのできる内燃機関用点火コイルを提供すること。【解決手段】コイルボビンに巻回された一次コイル及び二次コイルと、これら二つのコイルを磁気的に結合させる鉄心と、これらを収容する絶縁ケースとを備え、前記絶縁ケース内に充填された絶縁性合成樹脂によって一次コイル、二次コイル、鉄心等を固定保持する内燃機関用点火コイルであって、前記二次コイルに接続された端末ピンの先端に湾曲部を形成するとともに、前記端末ピンと電気的に接続される高圧端子側に凹溝を形成し、前記端末ピンの先端に形成された湾曲部を、高圧端子側に形成された凹溝内に嵌合して導通させるので、端末ピンと高圧端子との間の電気的接続を確実にすることができる。【選択図】図１
2011077485.tif 000002
【特許請求の範囲】
【請求項１】
コイルボビンに巻回された一次コイル及び二次コイルと、これら二つのコイルを磁気的に結合させる鉄心と、これらを収容する絶縁ケースとを備え、前記絶縁ケース内に充填された絶縁性合成樹脂によって一次コイル、二次コイル、鉄心等を固定保持する内燃機関用点火コイルであって、
前記二次コイルに接続された端末ピンの先端に湾曲部を形成するとともに、
前記端末ピンと電気的に接続される高圧端子側に凹溝を形成し、
前記端末ピンの先端に形成された湾曲部を、高圧端子側に形成された凹溝内に嵌合して導通させることを特徴とする内燃機関用点火コイル。
【請求項２】
前記端末ピンの湾曲部は、先端が凸のＵ字状に形成されたことを特徴とする請求項１に記載の内燃機関用点火コイル。
【請求項３】
前記端末ピンの湾曲部は、複数回に渡って屈折させて形成したことを特徴とする請求項１または２に記載の内燃機関用点火コイル。
【発明の詳細な説明】
【技術分野】
【０００１】
本発明は、例えば自動車等のエンジンの点火プラグに火花放電を発生させるために高圧電流を供給するモールド型の内燃機関用点火コイルに関する。
【背景技術】
【０００２】
図４は、従来の内燃機関用点火コイルにおける高圧端子と端末ピンとの関係を示す縦断面図である。図４において、内燃機関用点火コイル１は、鉄心・コイル組立体２と、この鉄心・コイル組立体２を収容する合成樹脂製の絶縁ケース３と、この絶縁ケース３の高圧タワー部に取り付けられた高圧端子４と、絶縁ケース３内に各構成部品を絶縁しながら固定する絶縁性を有した熱硬化性樹脂５等で構成されている。
【０００３】
上記した鉄心・コイル組立体２は、閉磁路を形成する鉄心６と、鉄心６が挿通される一次コイルボビン７と、この一次コイルボビン７に巻回された一次コイル８と、一次コイル８が挿通され、一次コイルボビン７と同心状に形成された二次コイルボビン９と、この二次コイルボビン９に巻回された二次コイル１０と、二次コイル１０の巻き終わりが接続された端末ピン１１とで構成されている。そして、二次コイル１０の巻き終わりが接続された端末ピン１１は、アルミや黄銅などで円柱または円錐状に切削加工またはプレス加工された高圧端子４に対応するように位置決めされ、自身の弾性によって高圧端子４に圧接するよう配設されている。
【０００４】
絶縁ケース３の下端部は、高圧端子４を収納した高圧タワー部１２となっており、プロテクター１３に嵌合されている。また、プロテクター１３の下端は、点火プラグ１４に嵌合されるとともに、プロテクター１３の内部に収納されたスプリング１５が高圧端子４と点火プラグ１４を電気的に接続している。
【０００５】
以上のように構成された内燃機関用点火コイル１の一次コイル８に、一次端子１６および両一次端末ピン等を介して所定の電流を通電した後に遮断すると、二次コイル１０に発生した高電圧の電流が、端末ピン１１を介して高圧端子４、スプリング１５から点火プラグ１４へ供給される。
【先行技術文献】
【特許文献】
【０００６】
【特許文献１】特開２００９−２７０６４号公報
【発明の概要】
【発明が解決しようとする課題】
【０００７】
しかし、このような構成の従来の内燃機関用点火コイルにおいて、二次コイルの高圧側端末の寸法によって、高圧端子と接触する位置が異なり、接触面積にばらつきが発生していた。このため、製造の初期に電気的導通が得られても、点火コイルの稼働時に内部温度が上昇した場合、線材と高圧端子と熱硬化性樹脂との線膨張係数が異なり、端末ピンと高圧端子の接続部において、端末ピン自体の弾性により保持されていた接触が遮断され、導通不良が発生する場合があった。
【０００８】
この発明は、上記に鑑み提案されたもので、端末ピンの先端に湾曲部を形成するとともに、端末ピンと電気的に接続される高圧端子側に凹溝を形成して、湾曲部を凹溝に嵌合することにより電気的接続を確実にできる内燃機関用点火コイルを提供することを目的とするものである。
【課題を解決するための手段】
【０００９】
上記目的を達成する為に本発明の内燃機関用点火コイルは、コイルボビンに巻回された一次コイル及び二次コイルと、これら二つのコイルを磁気的に結合させる鉄心と、これらを収容する絶縁ケースとを備え、前記絶縁ケース内に充填された絶縁性合成樹脂によって一次コイル、二次コイル、鉄心等を固定保持する内燃機関用点火コイルであって、前記二次コイルに接続された端末ピンの先端に湾曲部を形成するとともに、前記端末ピンと電気的に接続される高圧端子側に凹溝を形成し、前記端末ピンの先端に形成された湾曲部を、高圧端子側に形成された凹溝内に嵌合して導通させることを特徴としている。
【００１０】
また、本発明において、前記端末ピンの湾曲部は、先端が凸のＵ字状に形成されたことを特徴とする。
【００１１】
また、本発明において、前記端末ピンの湾曲部は、複数回に渡って屈折させて形成したことを特徴とする。
【００１２】
また、本発明において、前記端末ピン保持部は、前記端末ピンのほぼ中央に当接するように配設されたことを特徴とする。
【発明の効果】
【００１３】
この発明は上記した構成からなるので、以下に説明するような効果を奏することができる。
【００１４】
本発明では、コイルボビンに巻回された一次コイル及び二次コイルと、これら二つのコイルを磁気的に結合させる鉄心と、これらを収容する絶縁ケースとを備え、前記絶縁ケース内に充填された絶縁性合成樹脂によって一次コイル、二次コイル、鉄心等を固定保持する内燃機関用点火コイルであって、前記二次コイルに接続された端末ピンの先端に湾曲部を形成するとともに、前記端末ピンと電気的に接続される高圧端子側に凹溝を形成し、前記端末ピンの先端に形成された湾曲部を、高圧端子側に形成された凹溝内に嵌合して導通させるので、端末ピンを確実に高圧端子に接触させて電気的に導通させることができる。したがって、点火コイルの稼働時に発生する熱応力による導通不良等を未然に防止することができる。
【００１５】
また、本発明において前記端末ピンの湾曲部は、先端が凸のＵ字状に形成されたので、高圧端子側に形成された凹溝内への嵌合作業が容易である。
【００１６】
また、本発明において前記端末ピンの湾曲部は、複数回に渡って屈折させて形成したので、高圧端子との接触面積にばらつきが生じることなく、安定した導通を得ることができる。また、線材、高圧端子、絶縁材料間の線膨張係数の差に起因する温度ストレスに拘わらず、端末ピンと高圧端子間の接触が外れることなく、安定した電気的導通を確保することができる。
【図面の簡単な説明】
【００１７】
【図１】図１は、本発明の内燃機関用点火コイルにおける高圧端子と端末ピンとの関係を示す縦断面図である。
【図２】図２は、同高圧端子と端末ピンとの関係を示す拡大斜視図である。
【図３】図３は、端末ピンの他の実施例を示す拡大斜視図である。
【図４】図４は、従来の内燃機関用点火コイルにおける高圧端子と端末ピンとの関係を示す縦断面図である。
【発明を実施するための形態】
【００１８】
内燃機関用点火コイルにおいて、端末ピンの先端に湾曲部を形成するとともに、端末ピンと電気的に接続される高圧端子側に前記湾曲部の挿着可能な凹溝を形成して、湾曲部を凹溝に嵌合することにより、端末ピンと高圧端子を確実に接触させて電気的導通の信頼性を向上することができる。
【実施例】
【００１９】
以下、一実施の形態を示す図面に基づいて本発明を詳細に説明する。図１は本発明の内燃機関用点火コイルにおける高圧端子と端末ピンとの関係を示す縦断面図である。ここで、内燃機関用点火コイル２０は、一次コイルボビン２１、二次コイルボビン２２に巻回された一次コイル２３及び二次コイル２４と、これら二つのコイルを磁気的に結合させる鉄心２５と、これらを収容する絶縁ケース２６とを備え、前記絶縁ケース２６内に充填された絶縁性合成樹脂２７によって一次コイル２３、二次コイル２４、鉄心２５等を固定保持するものであって、前記二次コイル２４に接続された端末ピン２８の先端に湾曲部２８ａを形成するとともに、前記端末ピン２８と電気的に接続される高圧端子２９側に凹溝３０を形成し、前記端末ピン２８の先端に形成された湾曲部２８ａを、高圧端子側に形成された凹溝３０内に嵌合して導通させる構成である。
【００２０】
二次コイルボビン２２は、二次コイルを分巻きするために複数の鍔部２２ａを有している。また、二次コイルボビン２２の一端に取り付けられた端末ピン２８は、下方に配設された高圧端子２９の方向に延設されるとともに、先端に湾曲部２８ａが形成されている。図２に示すように、端末ピン２８の湾曲部２８ａは、Ｕ字状に折り返されて、先端が凸に形成されている。
また、湾曲部２８ａは、対向配置された凹溝３０に略嵌合可能な直径寸法Ｗに形成されている。折り返し高さＨは、凹溝３０の深さと略等しい。また、凹溝３０は、例えば、円筒状に形成されているが、湾曲部２８ａが嵌合可能であれば、他の形状であってもよい。
【００２１】
図３は、端末ピンの他の実施例を示す拡大斜視図であり、端末ピン２８の湾曲部２８ｂは、複数回に渡って屈折させた、先端が凸の形状である。この場合においても、湾曲部２８ａは、対向配置された高圧端子２９の凹溝３０に嵌合可能な直径寸法Ｗに形成されている。また、折り返し高さＨも、凹溝３０の深さと略等しく形成する。
【００２２】
以上のように構成された内燃機関用点火コイル２０の組立手順について説明する。先ず、絶縁ケース２６の高圧タワー部１２に高圧端子２９を配設した後、一次コイル２３、二次コイル２４、鉄心２５等から成る組立体を絶縁ケース２６内に収納する。
【００２３】
この際に、組立体の下端側に延設された端末ピン２８の湾曲部２８ａは、高圧端子２９の上端に形成された凹溝３０内に嵌合される。その後、絶縁性合成樹脂２７を注入して、各構成部品を絶縁しながら固定する。
【００２４】
このようにして製造された内燃機関用点火コイル２０は、端末ピン２８と高圧端子２９とは、端末ピン２８の湾曲部２８ａが凹溝３０に圧入されているので、電気的接触を確実にすることができる。また、熱応力等によって端末ピン２８に力が加わった場合であっても、湾曲部２８ａは線材自体の有する弾性力により反発し、端末ピン２８と高圧端子２９との接触が外れ、導通が遮断される虞れがない。
【００２５】
また、図３に示すように端末ピン２８の湾曲部２８ｂを複数回に渡って屈折させた先端が凸の形状とした場合には、凹溝３０内への嵌合作業を容易にすることができる。更に、端末ピン２８を凹溝３０から抜け難い構成とすることができる。
【００２６】
以上のように本願発明の構成によれば、二次コイルの高圧側端末に寸法のばらつきがあった場合でも、高圧端子の凹溝内に確実に圧入できるために、点火コイルの稼働時に発生する温度ストレスによって、接触が離れてしまう虞れもなく、信頼性の向上を達成することができる。
【符号の説明】
【００２７】
１      内燃機関用点火コイル
２      鉄心・コイル組立体
３      絶縁ケース
４      高圧端子
５      熱硬化性樹脂
６      鉄心
７      一次コイルボビン
８      一次コイル
９      二次コイルボビン
１０    二次コイル
１１    端末ピン
１２    高圧タワー部
１３    プロテクター
１４    点火プラグ
１５    スプリング
１６    一次端子
２０    内燃機関用点火コイル
２１    一次コイルボビン
２２    二次コイルボビン
２３    一次コイル
２４    二次コイル
２５    鉄心
２６    絶縁ケース
２７    絶縁性合成樹脂
２８    端末ピン
２８ａ  湾曲部
２９    高圧端子
３０    凹溝
【図１】
2011077485.tif 000003
【図２】
2011077485.tif 000004
【図３】
2011077485.tif 000005
【図４】
2011077485.tif 000006